(57)【特許請求の範囲】
【請求項１】
排水立て管と、水廻り器具からの横引き管と、水頭（Ｈｓ）をもって備えられた合流部とからなり、横引き管が途中で他の横引き管と合流することなく前記合流部に接続されたサイフォン排水システムであって、水廻り器具からの排水を太径の管にて受け、この太径の管に２本の横引き管を上下に配設し、下側の横引き管は無勾配にて配設し、上側の横引き管は若干の勾配を付けて配設したことを特徴とするサイフォン排水システム。
【請求項２】
前記上側の横引き管の勾配は、１／２００以上である請求項１記載のサイフォン排水システム。
【請求項３】
前記上側の横引き管の勾配は、１／５０〜１／１００である請求項２記載のサイフォン排水システム。
【発明の詳細な説明】
【技術分野】
【０００１】
本発明は新規なサイフォン排水システムに関するものであり、キッチン等の多量に排水された際の騒音を低減させる排水システムを提供するものである。
【背景技術】
【０００２】
従来の排水システムにあっては、いわゆる勾配排水システムであり、排水のための横引き管は所定の勾配をもって床下に敷設される。このため、水廻り器具の位置と排水立て管との位置関係が遠い位置にあり、従って横引き管が長い場合には、床下高さを十分取る必要があり、その分部屋の高さが低くなり、居住性が悪くなる。
【０００３】
かかる勾配排水システムに代わって近年になりサイフォン排水システムが提案されている。このサイフォン排水システムの概要は、排水立て管と、水廻り器具からの横引き管と、５０ｃｍ以上の水頭をもつ合流部と、からなり、横引き管がそのまま他と合流することなく前記合流部へ接続される排水システムである。そして、横引き管内の水は水頭差の分だけサイフォン力が発生し、この横引き管内の水を排水するシステムである。
【０００４】
特に、キッチン、洗濯機、ユニットバス、浴槽等のように多量の水が一度に流れる排水にあっては、サイフォン排水即ち横引き管が一本では十分ではなく、場合によっては、例えばユニットバスであれば洗い場側の排水口から水が溢れ出すことともなる。又、排水時間が長くかかり使用者が満足できないということもある。
【０００５】
この不具合を解消するべく、上下に二本の横引き管を配設し、排水の当初にはほぼ同時に上下の管にサイフォン力を発生するが、その後、上管はサイフォン力が消え、連続排水の場合には下側の管のみがサイフォン起動されるシステムを用いることが有効である。ところで、連続排水で、下側の管のみに、サイフォン力が生じている場合には、トラップ内に入ってくる水の量よりも、発生しているサイフォン力によって処理できる排水量が大きくなっているため、トラップからエアを吸い込むことになり、その際、ズ−ズ−という排水騒音が連続して生じることがある。
【０００６】
これを解消すべく、過剰なサイフォン力や排水完了後にも発生し続けるサイフォン力を制御することによって封水切れや、排水騒音を防ぐため、サイフォンブレ−カ−の設置等の方法が取られている。しかし、この方法はサイフォン力を制御するため、サイフォン力によって排水性を確保しようとするサイフォン排水においては、排水性を落とすようなものであった。特に、キッチンのような大量の水を使用する器具では、必要排水量を確保できないような形となってしまう。
【発明の開示】
【発明が解決しようとする課題】
【０００７】
本発明は、キッチン等の一度に多量の水を流す排水システムにあって、二本の横引き管を接続してなるサイフォン排水の排水時の騒音を低減させるシステムを提供するものである。
【課題を解決するための手段】
【０００８】
本発明の要旨は、排水立て管と、水廻り器具からの横引き管と、水頭（Ｈｓ）をもって備えられた合流部とからなり、横引き管が途中で他の横引き管と合流することなく前記合流部に接続されたサイフォン排水システムであって、水廻り器具からの排水を太径の管にて受け、この太径の管に２本の横引き管を上下に配設し、下側の横引き管は無勾配にて配設し、上側の横引き管は若干の勾配を付けて配設したことを特徴とするサイフォン排水システムであり、前記上側の横引き管の勾配は、１／２００以上、好ましくは、１／５０〜１／１００度である。
【発明の効果】
【０００９】
本発明は排水開始直後は上下の両管にて排水を行うが、上管内の排水は横引き管が勾配を付けられて配設されているため、この管内の水は空になる。このため、下管のサイフォン力によって上管のエアを吸い込む場合でもエアのみの吸い込みであって、（水＋エア）の系の吸い込みはなく、ズ−ズ−という排水騒音はなくなったものである。
【発明を実施するための最良の形態】
【００１０】
いわゆる溜め流し排水の際は、上下管共に満流でサイフォンを発揮しながら流れる。これにより必要排水量を確保できる。連続排水時には、ほとんど下管のみでサイフォン排水を行うが、排水開始直後は上管も使用して排水を実施する。上管を使用するのは排水開始直後のみですぐ使用しなくなる。その際、従来のように上下の横引き管が無勾配である場合には、上管内には水が残留することがある。このように、上管に水が残留すると、下管で生じた過剰なサイフォン力（負圧）は、トラップからの水とエアを吸い込むことから来るズ−ズ−という騒音をもたらすこととなる。
【００１１】
本発明では、上管に多少の勾配１／２００以上、例えば、床下に収納可能とするために、好ましくは、１／３０〜１／１００程度の勾配をもってを設置することにより、上管内に残留した水を、勾配により立て管方向に流す仕組みとしたものである。このため、上管内を空にすることができ、下管で生じた過剰なサイフォン力は、上管からエアのみを吸うこととなり、トラップからエアを吸うことがなくなるため、排水騒音を低減させることとなったものである。又、トラップ側に過剰なサイフォン力（負圧）がかからなくなったため、封水切れに関しても防ぐことを可能としたものである。尚、上下管は必ずしも鉛直方向に正確に上下である必要はなく、斜め配置で上下となっていてもよい。
【実施例】
【００１２】
以下、本発明を図面をもって更に詳細に説明する。図１はキッチントラップに従来のサイフォン排水システムを適用した際の概念図である。１はトラップ、２は太径の管（エルボ管（例えば５０Ａ））、３、４はこのエルボ管２に対して上下に配設したポリブテン製の横引き管（例えば２０Ａ）、１０は排水立て管である。
【００１３】
この横引き管３、４は床５に対して無勾配をもって配設され、これが床５よりも下方に垂下させ、図示しない排水立て管１の合流部に接続されている。床５と図示しない合流部との水頭（Ｈｓ）により横引き管３、４内の水はサイフォン力を受け、管３、４内を満流流れをもって排水されることになる。
【００１４】
この際、両管３、４がサイフォン力を受けるが、上側にある管４は排水当初のみであり、その後は下側の管３のみにてサイフォン排水がもたらされる。しかるに、この管３のサイフォン力はトラップ１に対して負圧であることからトラップ１内の水とエアを巻き込むこととなり、ここにズ−ズ−という騒音をもたらすものである。尚、上管４は無勾配にて配設されているため、上管４内は水とエアが混在している状態である。
【００１５】
一方、図２は本発明のサイフォン排水システムをキッチンのトラップに適用した際の図である。太径の管２に接続された上管３は、１／１００程度の勾配（ａ）をもって配設されている。さて、溜め流し排水時には上下の管３、４共にサイフォン力を発生し、管３、４内は満流流れとなり、必要排水量が確保されることとなる。即ち、溜め流し時にあって、トラップ１より一度に多量の水がエルボ管２に流れ込み、上下の管３、４はサイフォン力を生じて管３、４内は満流流れとなり排水される。
【００１６】
さて、連続排水時にあっては、上管４はサイフォン力が消え、下管３のサイフォン力のみで排水がなされることとなる。この場合、上管４には多少勾配がついているため管４内には水が残らずエアのみとなる。
【産業上の利用可能性】
【００１７】
さて、図１に示す従来のサイフォン排水システムであると、下管３のサイフォン力（負圧）によって水が吸い込まれるが、トラップ１（又はエルボ管２）内のエアも水と同時に巻き込むためにズ−ズ−という騒音がもたらされる。
【００１８】
一方、図２に示す本発明にあっては、過剰のサイフォン力はトラップ１から水とエアを混在して巻き込むよりも、その手前にある空になった上管４内のエアのみを吸い込むこととなり、ここに水とエアとの混合物を吸い込む際に生じるズ−ズ−騒音がなくなったものである。
【図面の簡単な説明】
【００１９】
【図１】図１は従来のサイフォン排水システムの概念図である。
【図２】図２は本発明のサイフォン排水システムの概念図である。
【符号の説明】
【００２０】
１‥トラップ、
２‥太径のエルボ管、
３、４‥横引き管、
５‥床、
ａ‥勾配。
【図１】
0004666612.tif 000002
【図２】
0004666612.tif 000003